(57)【要約】【課題】簡単且つ安価な構成でありながら、動的応答性が高く、長期使用に充分に耐え得る信頼性の高い大型土圧計を提供する。【解決手段】海洋構造物であるケーソンに設置された大型土圧計２０に動的土圧が負荷されると、受圧板２１が内方に変位する。すると、受圧板２１が大型であることから、その内方への変位に際し、空洞部２７内の非圧縮性流体である海水を相当量外部に排出しようとするが、シール部材２５および微小な水抜き穴からの流出量は極めて僅かであるため、可変容量部材２６が収縮して瞬時に空洞部２７内の圧力を吸収する。そのため、受圧板２１に印加された土圧は、受圧板２１から荷重変換器２２へ忠実に伝達され、荷重変換器２２の起歪部に添着されたひずみゲージにより電気信号に変換される。【選択図】　　　　　図１
2004011229.tif 000002
【特許請求の範囲】
【請求項１】
擁壁等の海洋構造物の壁面に作用する土圧を測定するための大型土圧計において、
剛性大なる受圧板と、
この受圧板の反受圧面側を一方側で支持する複数の荷重変換器と、
この各荷重変換器の他方側を支持する剛性大なる台座板と、
前記受圧板と前記荷重変換器を囲繞するように前記台座板上に水密的に固着され且つ前記受圧板との間に僅かの間隔を設けて配置された剛性大なるケース本体と、
前記受圧板の外周面と前記ケース本体の内周面との間に形成される前記間隙に配設され、液体を徐々に通過させ土砂の侵入を阻止するシール部材と、
前記受圧板と前記ケース本体と前記台座板とで形成される空洞部に収容され、且つ、圧力の印加に応じその容積を迅速に変化し得る可変容量部材と
を具備し、
前記シール部材または微小な水抜き穴を介して侵入した液体によって前記空洞部が充填された状態であって、前記受圧板に動的土圧が印加されたとき前記受圧板の変位による前記空洞部内の容積変化を前記可変容量部材により吸収し前記受圧板の動的変位を抑制しないように構成したことを特徴とする大型土圧計。
【請求項２】
前記可変容量部材は、内部に気体を充填させてなる弾性袋体であることを特徴とする請求項１に記載の大型土圧計。
【請求項３】
前記可変容量部材は、円環状ゴムチューブであることを特徴とする請求項２に記載の大型土圧計。
【請求項４】
前記可変容量部材は、内部に気体が充填された状態で開口端が密閉されてなるベローズ管であることを特徴とする請求項２に記載の大型土圧計。
【請求項５】
前記可変容量部材は、一端開口型有底円筒状を呈する本体部と、この開口部を塞ぐようにその外周縁を本体部に気密状に封止するダイアフラムからなるエアバックであることを特徴とする請求項２に記載の大型土圧計。
【請求項６】
前記受圧板が露出した状態でケーソン、岸壁、などの海洋構造物に設置され、且つ前記台座板が前記海洋構造物に固定され得るように構成されていることを特徴とする請求項１に記載の大型土圧計。
【請求項７】
前記荷重変換器は、荷重導入部と荷重支持部とこれらの中間に介在する起歪筒と、前記起歪筒に添着されたひずみゲージとから成り、前記受圧板と前記荷重導入部を介して印加される土圧に対応した電気信号を、前記ひずみゲージにより得るように構成されていることを特徴とする請求項１に記載の大型土圧計。
【発明の詳細な説明】
【０００１】
【発明の属する技術分野】
本発明は、大型土圧計に関し、より詳しくは、例えば、護岸工事に伴うコンクリートケーソンの背面に加わる常時および地震時の土圧を測定し得るような大型土圧計に関するものである。
【０００２】
【従来の技術】
従来、例えば、埠頭の護岸工事に伴うコンクリートケーソンに、常時あるいは地震時に加わる土圧をケーソンの背面の鉛直壁面に設置固定された土圧計により測定していた。
図６は、大型土圧計が設置された護岸構造物を模式的に示す断面図である。
海底の原地盤の上に捨石でマウンド１を敷設し、その上に海水を所要量注入した中空コンクリート製のケーソン２を載置し、さらに中空内に砂３を投入して埋め戻し且つその上端開口部に蓋体４を冠せて、ケーソン２を設置する。
ケーソン２の背面側には、栗割石をもって、海底側から地面側に向うに従って堆積量を減ずるように、即ち、斜面を形成するように裏込め地盤５を造成する。さらに、その背面側の斜面に沿わせて防砂シート６を展張して固定し、さらにその背面側に先ず砂を埋めその上に土を埋め込み、砂層７ａと土層７ｂを形成して、その上から踏み固めて砂の密度を上げた陸地７を施工する。大型土圧計８は、ケーソン２の製造後であって設置前の過程で、所定のレベル間隔で縦列状に複数設置される。
【０００３】
この大型土圧計８として、図７に示すような大型土圧計８が用いられる。
即ち、図７に示す大型土圧計８は、厚肉の受圧板１１と、この受圧板１１の反受圧面側（図７においては下面側）を一方側（図７においては上端側）で支持する、この場合、４つの荷重変換器１２と、この荷重変換器１２の底面側を支持する台座板１３と、この台座板１３上に下端が固着され、その上端が受圧板１１の上端面と同一高さに設定されたケース本体１４と、受圧板１１の外周面とケース本体１４の内周面との間に配設されたシール部材１５から構成されている。
そして、この大型土圧計８は、上述した図６に示されるケーソン２に形成された凹部に、前記受圧板１１が露出した状態でケーソン２、岸壁、などの海洋構造物に設置され、且つ前記台座板１３が前記海洋構造物に固定され得るように構成されている。即ち、前記大型土圧計８は、ケーソン２に形成された凹部に埋め込まれ且つ、ケーソン２に植設されたスタッドボルトを、台座板１３に穿設されたボルト挿通孔１３ａに挿通し、ナットを締め付けることにより、ケーソン２に固定される。
【０００４】
次に、このようにして設置された大型土圧計８を用いて、コンクリート製のケーソン２の背面に加わる土圧を測定するときの作用を説明する。
先ず、ケーソン２と裏込め地盤５との間に設置された大型土圧計８に土圧が作用すると、受圧板１１が図７において、下方側に押圧されて土圧に対応した量だけ変位する。この変位は、荷重変換器１２の荷重導入部（上端部）に伝達されるが、このとき荷重変換器１２の底面は、台座板１３に強固に支持されているため、荷重変換器１２の中間部に配設された起歪筒（または起歪柱）が圧縮されることになる。
起歪筒は、一部が薄肉に形成されて起歪部が設けられており、その起歪部にひずみゲージが添着されているので、そのひずみゲージの抵抗値変化に基づいて、土圧に対応したひずみ信号を得て、所要の信号処理を行って、土圧を測定するようになっている。
【０００５】
【発明が解決しようとする課題】
しかしながら、このように構成され且つケーソンに配設された大型土圧計には、次のような問題がある。
即ち、この大型土圧計８は、この実施例の場合、受圧板１１の寸法が縦１０００ｍｍ、横１０００ｍｍであり、ケース本体１４の外形寸法が縦１３００ｍｍ、横１３００ｍｍ、高さ２５０ｍｍと、文字通り大型に形成されている。
そして、海水中にこの大型土圧計８を沈めると、シール部材１５および小さな水抜き穴から、海水が内部（空洞部１６）に浸入し充満する。
このように受圧板１１の内部に海水が満たされることにより、受圧板１１の内外（表裏）における圧力が相殺されるため、土圧計は水深に関した圧力の影響を受けないことになる。
【０００６】
しかしながら、大型土圧計８の空洞部１６内に海水が充満された状態で、受圧板１１に動的な圧力を受けたとき、受圧面積の大きい受圧板１１の変位による空洞部１６の内部の容量変化が大きい反面、この容量変化に伴う海水の内外間の移動がシール部材１５と小さな水抜き穴でしか行われず、海水の移動による圧力バランスがしにくいため、実際上、受圧板１１から荷重変換器１２に伝達される力が減少してしまい、荷重変換器１２の出力が減少してしまうという大きな問題がある。換言すれば、この従来の大型土圧計は、動的な応答性が悪く、例えば、地震時の挙動を土圧の変化として観測しようとしても、正確な観測ができないという問題がある。
動的応答性を上げる対策として、充分に大きな水抜き穴を複数個所に設けて、空洞部１６内外の海水の移動量を大きくすることも考えられるが、そのように構成した場合、海水の流入、流出と共に土や砂が受圧板１１と、ケース本体１４と台座板１３とで囲まれる空洞部１６内に浸入し、長期使用中に土砂が堆積し、受圧板１１や荷重変換器１２の挙動に悪影響を与えるという新たな問題が生じる。
【０００７】
本発明は、上述した事情に鑑みてなされたもので、その第１の目的は、動的応答性を著しく向上させ得る大型土圧計を提供すること、
第２の目的は、土圧計内部への土砂の浸入を極めて少量にとどめ、長期使用に充分耐え、信頼性を高め得る大型土圧計を提供すること、
第３の目的は、簡単且つ安価な構成でありながら、上記第１、第２の目的を達成し得る大型土圧計を提供することにある。
【０００８】
【課題を解決するための手段】
上記第１〜第３の目的を達成するために、請求項１に記載の発明は、擁壁等の海洋構造物の壁面に作用する土圧を測定するための大型土圧計において、
剛性大なる受圧板と、
この受圧板の反受圧面側を一方側で支持する複数の荷重変換器と、
この各荷重変換器の他方側を支持する剛性大なる台座板と、
前記受圧板と前記荷重変換器を囲繞するように前記台座板上に水密的に固着され且つ前記受圧板との間に僅かの間隔を設けて配置された剛性大なるケース本体と、
前記受圧板の外周面と前記ケース本体の内周面との間に形成される前記間隙に配設され、液体を徐々に通過させ土砂の侵入を阻止するシール部材と、
前記受圧板と前記ケース本体と前記台座板とで形成される空洞部に収容され、且つ、圧力の印加に応じその容積を迅速に変化し得る可変容量部材と
を具備し、
前記シール部材または微小な水抜き穴を介して侵入した液体によって前記空洞部が充填された状態であって、前記受圧板に動的土圧が印加されたとき前記受圧板の変位による前記空洞部内の容積変化を前記可変容量部材により吸収し前記受圧板の動的変位を抑制しないように構成したことを特徴とするものである。
【０００９】
また、請求項２に記載の発明に係る大型土圧計の前記可変容量部材は、内部に気体を充填させてなる弾性袋体であることを特徴とするものである。
また、請求項３に記載の発明に係る大型土圧計の前記可変容量部材は、円環状ゴムチューブであることを特徴とするものである。
また、請求項４に記載の発明に係る大型土圧計の前記可変容量部材は、内部に気体が充填された状態で開口端が密閉されてなるベローズ管であることを特徴とするものである。
【００１０】
また、請求項５に記載の発明に係る大型土圧計の可変容量部材は、一端開口型有底円筒状を呈する本体部と、この開口部を塞ぐようにその外周縁を本体部に気密状に封止するダイアフラムからなるエアバックであることを特徴とするものである。
【００１１】
また、請求項６に記載の発明に係る大型土圧計の前記受圧板が露出した状態でケーソン、岸壁、などの海洋構造物に設置され、且つ前記台座板が前記海洋構造物に固定され得るように構成されていることを特徴とするものである。
さらに、請求項７に記載の発明に係る大型土圧計の前記荷重変換器は、荷重導入部と荷重支持部とこれらの中間に介在する起歪筒と、前記起歪筒に添着されたひずみゲージとから成り、前記受圧板と前記荷重導入部を介して印加される土圧に対応した電気信号を、前記ひずみゲージにより得るように構成されていることを特徴とするものである。
【００１２】
【作用】
海洋構造物の壁面に設置される大型土圧計は、受圧板と台座板とケース本体とをもって、内部に空洞部が形成され、その空洞部内部であって、受圧板と台座板との間に荷重変換器が収容されたものとなっており、受圧板の周囲と、ケース本体の内周との間に間隙が設けられ、その間隙にシール部材が設けられているため、大型土圧計を海水中に決めると、空洞部内に海水が充満する。この状態で地震時などに動的土圧を受けた場合、受圧板が空洞部内側に押圧され、空洞部内の液体（海水）が圧縮されようとするが液体は非圧縮性であるため圧縮されないが、その圧力上昇分は、空洞部内部に収容した可変容量部材に瞬時に吸収されるため受圧板は内圧変化に伴う影響を受けることなく受圧板に加わった土圧はそのまま瞬時に荷重変換器に伝達される。
その結果、荷重変換器からは印加圧力（土圧）に正確に対応した検出出力が得られる。
【００１３】
【発明の実施の形態】
以下、本発明の実施の形態を図１および図２を用いて詳細に説明する。
図１は、本発明の第１の実施の形態に係る大型土圧計の構成を模式的に示す断面図、図２は、図１の平面図である。
これら図１、図２において、第１の実施の形態に係る大型土圧計２０は、厚肉で剛性大なる受圧板２１と、この受圧板２１の反受圧面側（図１においては下端側）を一方側（図１においては上端側）で支持する、この場合、４つの荷重変換器２２と、この荷重変換器２２の底面側を支持する剛性大なる台座板２３と、この台座板２３上に下端が固着され、その上端が受圧板２１の上面と同一高さに設定された剛性大なるケース本体２４と、受圧板２１の外周面とケース本体２４の内周面との間に生じる間隙に配設されたシール部材２５および可変容量部材２６とから構成されている。
【００１４】
これら構成部材のうち、受圧板２１は、この実施例の場合、縦が１０００ｍｍ、横が１０００ｍｍあり、厚肉にして充分大きな剛性を有し、土圧計としては、大型に分類される。
台座板２３は、正方形を呈し、厚肉にして充分大きな剛性を有するものとされ、四隅には、取付ボルト挿通孔が穿設されている。
ケース本体２４は、全体形状が四角筒状を呈し、一端（図１において下端）が溶接、等の手段により固着され、その高さは、台座板２３上に載置固定された荷重変換器２２の高さと受圧板２１の高さ（厚さ）を加えた寸法にほぼ等しく設定されている。
荷重変換器２２は、その内部構成については図示を省略したが、例えば、剛性の大きい荷重導入部（上部）と荷重支持部（下部）との間に介在する起歪柱と、この起歪柱に添着されたひずみゲージとから構成されている。ひずみゲージは、通常少なくとも４枚、起歪柱のうち、薄肉あるいは細径に形成された起歪部に接着、蒸着、スパッタリング、等の手段により添着されている。これら４枚のひずみゲージをホイートストンブリッジ回路に組み、そのブリッジ回路の入力端にブリッジ電源を供給することで、出力端から土圧に応じた電気信号を取り出すことができる。
【００１５】
可変容量部材２６は、受圧板２１とケース本体２４と台座板２３とで形成される空洞部２７に収容され、圧力の印加に応じその容積を迅速に変化し得るように構成されている。
この可変容量部材２６として、円環状ゴムチューブを用いることができるが、具体的には図３に示すように、自転車や自動車等のタイヤチューブ３０を適用することができる。尚、符号３０ａは、空気注入口で内部に逆止弁が配設されている。
このタイヤチュープ３０は、図１に示す大型土圧計２０の空洞部２７の底部中央に、固定部材により固定されている。
【００１６】
図４は、本発明を構成する要素である可変容量部材の他の構成を模式的に示す断面図である。
図４に示す可変容量部材としてのベローズ管３１は、円盤状の２枚の金属板３２、３２と、これら２枚の金属板３２、３２にそれぞれの端部が気密状に封止されたベローズ３３から構成され、内部に空間部３４が形成されている。ベローズ３３は、大きな容積変化、即ち圧力変化にも追従し得るように、ひだが複数本形成されたものを用いる。
図５において、可変容量部材としてのダイヤフラム型エアバック３５は、一端開口型有底円筒状を呈する本体部３６と、この開口を塞ぐようにその外周縁を本体部３６に気密状に封止するダイヤフラム３７とから構成されている。ダイヤフラム３７は、大きな容積量変化、即ち圧力変化にも追従し得るように、同心円状の断面波状のひだ（襞）を複数本形成してなる。このようにダイヤフラム３７と本体部３６とで囲まれる内部には、空間部３４が形成される。
【００１７】
図３に示す実施の形態のタイヤチューブは、市販のものが転用できる簡便さがあり、低コストに構成することができ、動的な圧力（外部圧力）の印加に応じその容積を迅速に変化し得るという機能を充分に発揮する。
また、図４および図５に示す実施の形態のベローズ管およびエアバックは、その材質にステンレススティールまたは海水によって腐食しない金属、あるいは合成樹脂を素材に用いることにより、長期使用に充分耐え得るものとすることができる。尚、これらベローズ管３１およびエアバック３５にも空気注入口を設けて、適宜空間部３４および３８内の圧力を調整できるようにすることが望ましい。尚、受圧板２１の外周面とケース本体２４の内周面との間に形成される間隔には、液体を徐々に通過させ土砂の侵入を阻止するシール部材２５が配設されている。上記のケース本体２４の内周面と受圧板２１との間に形成される間隙のうち、４隅の微小な領域には、シール部材２４を配設せず、敢えて微小な水抜き穴２５を設けてある。
このような構成よりなる本発明に係る実施の形態の作用について説明する。
【００１８】
図６に示す海洋構造物のケーソン２に、例えば地震発生に伴い、マウンド１、裏込め地盤５あるいは海（図６において左側）から動的な力（土圧）が負荷されると、ケーソン２に設置された大型土圧計２０の受圧板２１と台座板２３との間に動的な土圧が負荷されることとなる。
図１に示す大型土圧計２０の受圧板２１に動的な土圧が印加されると、受圧板２１は土圧に応じた変位をしようとする。
このとき、大型土圧計２０の空洞部２７の内部には、シール部材２５および微小な水抜き穴２８から侵入した海水が充満しているため、受圧板２１の内方向への変位は、空洞部２７の内部の海水を圧縮することになる。
海水は非圧縮性流体であるためその容積は減少しないが、空洞部２７の内部に設置された可変容量部材２６（例えば図３に示すタイヤチューブ３０、図４に示すベローズ管３１または図５に示すエアバック３５など）が圧力の上昇に伴う分だけ、その容積を減少するため、シール部材２５および水抜き穴２８から海水が外部に排出されるのに比較的長い時間が要するものであっても、受圧板２１が土圧によって押圧されると同時に、受圧板２１は荷重変換器２２に土圧に対応した力で押圧することとなる。
【００１９】
従って、海洋構造物から動的な土圧（例えば、数Ｈｚ〜１０数Ｈｚの振動を伴う土圧）が大型土圧計２０（または８）に印加されても、受圧板２１から荷重変換器２２に忠実に伝達され、荷重変換器２２からは印加された動的土圧に対応した検出信号を得ることができる。
このように、本実施の形態によれば、動的応答性を著しく向上させた大型土圧計を提供することができる。
また、本実施の形態においては、空洞部２７に存在する海水等は、シール部材２５および微小な水抜き穴２８を介して、流入、流出しないではないが、受圧板２１の変位に伴う、空洞部２７内の海水量の変動（圧力の変動）に際しては、可変容量部材２６で吸収また放出してバランスさせるので、シール部材２５および微小な水抜き穴２８からの流入、流出は実際上ないため、例えば受圧板２１の外方への変位（復元変位）する際、土砂を含んだ海水を吸入することはないに等しい。
【００２０】
従って、本実施の形態に係る大型土圧計２０（８）は、その内部（空洞部２７）への土砂の流入を実際上無くし得るので、長期使用に充分耐え、信頼性を飛躍的に高めた大型土圧計を提供することができる。
また、本実施の形態に係る大型土圧計は、空洞部２７の内部に、可変容量部材２６を収容してなるものであり、その可変容量部材２６にしても、タイヤチューブ３０、ベローズ管３１、またはエアバック３５等のように、その構成は簡単且つ安価な構成でありながら、上述したような従来の土圧計では奏し得ないような顕著且つ異質な効果を発揮し得る大型土圧計を提供することができる。
尚、本発明は、上述し且つ図面に示した実施の形態にのみ限定されるものではなく、その要旨を逸脱しない範囲で種々の変形が可能である。
例えば、受圧板２１、台座板２３あるいはケース本体２４等は、厚肉な鉄板で形成してもよいが、これらをある程度薄肉とし、補強リブや補強フレームなどで補強するようにしてもよい。
【００２１】
また、荷重変換器について種々のものを用いることができ、例えば、起歪体としての形状でいえば、円柱状タイプ、円筒状（ワッシャ型）タイプ、十文字状ビームタイプ、一文字状ビームタイプ、片持ちビームタイプなどの中から、適宜用いるようにしてもよい。
また、荷重変換器２２を、図１に示すように、その上下に受圧板２１を台座板２３に直接取付ける構成に限らず、荷重変換器２２と受圧板２１との間を、複数の部材を介して連結するようにしたり、台座板２３の上に台座を更に重ね、その台座に荷重変換器２２をねじ結合するようにしてもよい。
また、大型土圧計２０の内部空洞部２７と外部との間における液体の連通について、図２に示した実施の形態においては、受圧板２１の外周面とケース本体２４の内周面との間に形成される間隙に配設したシール部材２５と、上記間隙のうち、４隅にシール部材２５を配設せず、微小な水抜き穴２８を介して行うようにしてあるが、このうち、微小な水抜き穴２８は設けず、間隙の部分すべてにシール部材２５を設置してもよい。
このように構成した場合には、空洞部２７への土砂の流入を完全に阻止することができる。
【００２２】
【発明の効果】
以上、詳しく説明したところより明らかなように、請求項１に記載の発明によれば、擁壁等の海洋構造物の壁面に作用する土圧を測定するための大型土圧計において、
剛性大なる受圧板と、
この受圧板の反受圧面側を一方側で支持する複数の荷重変換器と、
この各荷重変換器の他方側を支持する剛性大なる台座板と、
前記受圧板と前記荷重変換器を囲繞するように前記台座板上に水密的に固着され且つ前記受圧板との間に僅かの間隔を設けて配置された剛性大なるケース本体と、
前記受圧板の外周面と前記ケース本体の内周面との間に形成される前記間隙に配設され、液体を徐々に通過させ土砂の侵入を阻止するシール部材と、
前記受圧板と前記ケース本体と前記台座板とで形成される空洞部に収容され、且つ、圧力の印加に応じその容積を迅速に変化し得る可変容量部材と
を具備し、
前記シール部材または微小な水抜き穴を介して侵入した液体によって前記空洞部が充填された状態であって、前記受圧板に動的土圧が印加されたとき前記受圧板の変位による前記空洞部内の容積変化を前記可変容量部材により吸収し前記受圧板の動的変位を抑制しないように構成したので、第１に、海洋構造物から動的な土圧を受圧板が受けても受圧板はその土圧に対応する力を荷重変換器に忠実に伝達し、そのため荷重変換器から土圧に正確に対応した電気信号を得ることができ、もって動的応答性に極めて優れた大型土圧計を提供することができ、第２に、大型土圧計内部への土砂の侵入を極めて少量にとどめ、長期使用に充分に耐え、信頼性を著しく高め得る大型土圧計を提供することができ、第３に、簡単且つ安価な構成でありながら、上記第１、第２の効果を奏し得る大型土圧計を提供することができる。
【００２３】
また、請求項２に記載の発明によれば、大型土圧計の可変容量部材が内部に気体を充填させてなる弾性袋体であるので、簡単且つ安価な構成でありながら、請求項１に記載の発明の効果を充分に奏し得る大型土圧計を提供することができる。
また、請求項３に記載の発明によれば、前記可変容量部材は、円環状ゴムチューブであるため、既存のタイヤチューブを適用することができ、さらに安価な大型土圧計を提供することができる。
また、請求項４および５に記載の発明によれば、可変容量部材が、ベローズ管およびエアバックであるため、構成が簡単でありながら、長期使用に充分耐え、信頼性を高め得る大型土圧計を提供することができる。
【００２４】
また、請求項６に記載の発明によれば、前記受圧板が露出した状態でケーソン、岸壁、などの海洋構造物に設置され、且つ台座板が海洋構造物に固定され得るように構成されているので、海洋構造物であるケーソン等に加わる土圧を常時は当然のこと、地震時に加わる動的な土圧をも正確に検出でき、地震の予知ないしは地震の発生を適正に把握し得る大型土圧計を提供することができる。
また、請求項７に記載の発明によれば、前記荷重変換器は、荷重導入部と荷重支持部とこれらの中間に介在する起歪筒と、前記起歪筒に添着されたひずみゲージとから成り、前記受圧板と前記荷重導入部を介して印加される土圧に対応した電気信号を、前記ひずみゲージにより得るように構成したので、高感度でしかも高精度で動的土圧を検出し得る大型土圧計を提供することができる。
【図面の簡単な説明】
【図１】本発明の第１の実施の形態に係る大型土圧計の構成を模式的に示す断面図である。
【図２】図１に示す大型土圧計の構成を模式的に示す平面図である。
【図３】図１の大型土圧計を構成する可変容量部材の一構成例を示す斜視図である。
【図４】図１の大型土圧計を構成する可変容量部材の他の構成例を示す断面図である。
【図５】図１の大型土圧計を構成する可変容量部材のさらに他の構成例を示す断面図である。
【図６】大型土圧計が設置された護岸構造物を模式的に示す断面図である。
【図７】本出願人が別途案出した先行技術に係る大型土圧計の構成を模式的に示す断面図である。
【符号の説明】
２０　大型土圧計
２１　受圧板
２２　荷重変換器
２３　台座板
２４　ケース本体
２５　シール部材
２６　可変容量部材
２７　空洞部
２８　水抜き穴
３０　タイヤチューブ
３１　ベローズ管
３２　金属板
３３　ベローズ
３４，３８　空間部
３５　エアバック
３６　本体部
３７　ダイヤフラム
【図１】
2004011229.tif 000003
【図２】
2004011229.tif 000004
【図３】
2004011229.tif 000005
【図４】
2004011229.tif 000006
【図５】
2004011229.tif 000007
【図６】
2004011229.tif 000008
【図７】
2004011229.tif 000009